(57)【要約】【課題】専用のコンピュータを用意することなく、テープライブラリ装置へバックアップを行うこと。【解決手段】テープライブラリ装置３００にディスクサブシステム２００のディスク論理ユニット番号に対応した実ディスクの実ディスク番号及びテープ論理ユニット番号に対応した実テープの実テープ番号を格納する格納メモリ３０４を設け、ディスク及びテープ論理ユニット番号を指定したデータバックアップ指令を受けたとき、指定されたディスク論理番号に対応する実ディスク及び実テープ番号を取得する第１工程と、該第１工程により取得した実ディスク及び実テープ番号との対応を格納メモリに格納する第２工程と、この格納メモリに格納した実ディスク番に対応するディスクサブシステムの実ディスクに記憶したデータを、前記格納メモリに格納した実テープ番号の実テープへバックアップ記憶を行う第３工程を実行するもの。【選択図】図１
2010122906.tif 000002
【特許請求の範囲】
【請求項１】
ホストコンピュータからのデータを記憶する複数のディスク論理ユニットを有するディスクサブシステムと、該ディスク論理ユニットに記憶したデータのバックアップ記憶を行う複数のテープ論理ユニット並びにディスク論理ユニット番号に対応した実ディスクの実ディスク番号及びテープ論理ユニット番号に対応した実テープの実テープ番号とを格納する格納メモリを有するテープライブラリ装置と、前記ディスク論理ユニット番号及び該ディスク論理ユニット番号に対応した実ディスク番号並びに前記テープ論理ユニット番号及び該テープ論理ユニット番号に対応した実テープ番号とを格納した論理対実ユニット対応テーブル部を有するホストコンピュータとを備え、前記テープライブラリ装置の制御手段がホストコンピュータにより指定されたディスク論理ユニットに記憶したデータをテープ論理ユニットにバックアップを行うリモートバックアップシステムであって、
前記制御手段が、ホストコンピュータからディスク論理ユニット番号及びテープ論理ユニット番号を指定したデータバックアップの指令を受けたとき、
前記論理対実ユニット対応テーブル部からホストコンピュータから指定されたディスク論理ユニット番号に対応する実ディスク番号及びテープ論理ユニット番号に対応する実テープ番号を取得する第１工程と、
該第１工程により取得した実ディスク番号と実テープ番号との対応を前記格納メモリに格納する第２工程と、
該第２工程により格納メモリに格納した実ディスク番に対応するディスクサブシステムの実ディスクに記憶したデータを、前記格納メモリに格納した実テープ番号の実テープへバックアップ記憶を行う第３工程とを実行するリモートバックアップシステム。
【請求項２】
前記制御手段が、前記第２工程と第３工程との間に、格納メモリに格納した実ディスク番号に対応するディスクサブシステムの実ディスクへのデータ書き込みを禁止するリザーブ処理を行う第４工程を実行する請求項１記載のリモートバックアップシステム。
【請求項３】
前記制御手段が、前記第２工程と第３工程との間に、ホストコンピュータに対してバックアップ処理の終了を通知する第５工程を実行する請求項１又は２記載のリモートバックアップシステム。
【請求項４】
前記ディスクサブシステムが、バックアップ対象となるデータの単位を実ディスク上のセクタ番号の範囲により指定するセクタ範囲情報を記憶するメモリを有し、前記制御手段が、前記第３工程において、前記ディスクサブシステムのメモリからセクタ範囲情報を取得して格納メモリに格納する請求項１から３何れかに記載のリモートバックアップシステム。
【請求項５】
前記テープライブラリ装置の制御手段が、前記格納メモリに前記セクタ範囲情報により指定された範囲のデータのバックアップが終了したことをフラグとして格納する請求項４記載のリモートバックアップシステム。
【請求項６】
ホストコンピュータからのデータを記憶する複数のディスク論理ユニットを有するディスクサブシステムと、該ディスク論理ユニットに記憶したデータのバックアップ記憶を行う複数のテープ論理ユニット並びにディスク論理ユニット番号に対応した実ディスクの実ディスク番号及びテープ論理ユニット番号に対応した実テープの実テープ番号とを格納する格納メモリを有するテープライブラリ装置と、前記ディスク論理ユニット番号及び該ディスク論理ユニット番号に対応した実ディスク番号並びに前記テープ論理ユニット番号及び該テープ論理ユニット番号に対応した実テープ番号とを格納した論理対実ユニット対応テーブル部を有するホストコンピュータとを備えたコンピュータシステムにおけるリモートバックアップシステムであって、
前記制御手段が、ホストコンピュータからディスク論理ユニット番号及びテープ論理ユニット番号を指定したデータバックアップの指令を受けたとき、
前記論理対実ユニット対応テーブル部からホストコンピュータから指定されたディスク論理ユニット番号に対応する実ディスク番号及びテープ論理ユニット番号に対応する実テープ番号を取得する第１工程と、
該第１工程により取得した実ディスク番号と実テープ番号との対応を前記格納メモリに格納する第２工程と、
該第２工程により格納メモリに格納した実ディスク番に対応するディスクサブシステムの実ディスクに記憶したデータを、前記格納メモリに格納した実テープ番号の実テープへバックアップ記憶を行う第３工程とを実行するリモートバックアップ方法。
【請求項７】
前記制御手段が、前記第２工程と第３工程との間に、格納メモリに格納した実ディスク番号に対応するディスクサブシステムの実ディスクへのデータ書き込みを禁止するリザーブ処理を行う第４工程を実行する請求項６記載のリモートバックアップ方法。
【請求項８】
前記制御手段が、前記第２工程と第３工程との間に、ホストコンピュータに対してバックアップ処理の終了を通知する第５工程を実行する請求項６又は７記載のリモートバックアップ方法。
【請求項９】
前記ディスクサブシステムが、バックアップ対象となるデータの単位を実ディスク上のセクタ番号の範囲により指定するセクタ範囲情報を記憶するメモリを有し、前記制御手段が、前記第３工程において、前記ディスクサブシステムのメモリからセクタ範囲情報を取得して格納メモリに格納する請求項６から８何れかに記載のリモートバックアップ方法。
【請求項１０】
前記テープライブラリ装置の制御手段が、前記格納メモリに前記セクタ範囲情報により指定された範囲のデータのバックアップが終了したことをフラグとして格納する請求項９記載のリモートバックアップ方法。
【発明の詳細な説明】
【技術分野】
【０００１】
本発明は、ホストコンピュータのデータをディスクサブシステムからテープライブラリ装置へバックアップするリモートバックアップシステム及びリモートバックアップ方法に関し、特にホストコンピュータを介さずに前記バックアップを行うことができるリモートバックアップシステム及びリモートバックアップ方法に関する。
【背景技術】
【０００２】
近年のコンピュータシステムは、ホストコンピュータの磁気ディスク装置に記憶したデータのバックアップを行うためのバックアップシステムが接続され、このバックアップシステムは、ホストコンピュータのデータを一時的に記憶するための複数の磁気ディスク装置を含むディスクサブシステムと、該ディスクサブシステムのデータを記憶する複数の磁気テープ及び該磁気テープに対してデータの記録再生を行うテープドライブを含むテープライブラリ装置とから構成されている。
【０００３】
このように構成された従来技術によるコンピュータシステムは、ホストコンピュータからの指示によってディスクサブシステムからテープライブラリ装置へのバックアップデータを格納する際、ホストコンピュータのバックアップジョブが、対象となるディスクサブシステム及びテープライブラリ装置を指定し、バックアップを実行するが、ホストコンピュータからディスクサブシステムへのデータ処理と、ディスクサブシステムからテープライブラリ装置へのバックアップ取得とを非同期に行う必要があり、ホストコンピュータがデータバックアップに費やせる時間はホストコンピュータの業務停止時刻帯（深夜等）の短時間に限られている。
【０００４】
この解決手段として、ホストコンピュータを介さずにディスクサブシステムとテープライブラリ装置へのバックアップを取得する技術が必要となる。
【０００５】
尚、このホストコンピュータを介さずにバックアップを取得する技術が記載された文献としては、下記特許文献１が挙げられ、この特許文献１には、ディスクサブシステム及びテープライブラリ装置の制御部に、ディスクサブシステムとテープライブラリ装置間のデータを管理するための管理情報を記憶しておき、サービスプロセッサがディスクサブシステムにデータ移行を指令することによって、データがテープライブラリ装置へ移行する技術が記載されている。
【特許文献１】特開平１０−２６９１２３号公報
【発明の開示】
【発明が解決しようとする課題】
【０００６】
前述の特許文献１記載の技術は、ホストコンピュータを介さずにディスクサブシステムのデータをテープライブラリ装置にバックアップすることができるものの、コンピュータシステムとは、別に用意されたサービスプロセッサが、ディスクサブシステムに対してバックアップを指示し、該ディスクサブシステムがテープライブラリ装置にバックアップデータを送るため、このデータ移行を行うためのサービスプロセッサが必要であると言う不具合があった。更に特許文献１記載の技術を採用するためには、従来のホストコンピュータにて適用していたバックアップジョブを使用することができず、新たなバックアップ方法を作成しなければならないと言う不具合もあった。
【０００７】
本発明の目的は、バックアップジョブを指示する専用のコンピュータを用意することなく、ディスクサブシステムからテープライブラリ装置にデータ移行することができるリモートバックアップシステム及びリモートバックアップ方法を提供することである。
【課題を解決するための手段】
【０００８】
前記目的を達成するため本発明は、ホストコンピュータからのデータを記憶する複数のディスク論理ユニットを有するディスクサブシステムと、該ディスク論理ユニットに記憶したデータのバックアップ記憶を行う複数のテープ論理ユニット並びにディスク論理ユニット番号に対応した実ディスクの実ディスク番号及びテープ論理ユニット番号に対応した実テープの実テープ番号とを格納する格納メモリを有するテープライブラリ装置と、前記ディスク論理ユニット番号及び該ディスク論理ユニット番号に対応した実ディスク番号並びに前記テープ論理ユニット番号及び該テープ論理ユニット番号に対応した実テープ番号とを格納した論理対実ユニット対応テーブル部を有するホストコンピュータとを備え、前記テープライブラリ装置の制御手段がホストコンピュータにより指定されたディスク論理ユニットに記憶したデータをテープ論理ユニットにバックアップを行うリモートバックアップシステムであって、
前記制御手段が、ホストコンピュータからディスク論理ユニット番号及びテープ論理ユニット番号を指定したデータバックアップの指令を受けたとき、
前記論理対実ユニット対応テーブル部からホストコンピュータから指定されたディスク論理ユニット番号に対応する実ディスク番号及びテープ論理ユニット番号に対応する実テープ番号を取得する第１工程と、
該第１工程により取得した実ディスク番号と実テープ番号との対応を前記格納メモリに格納する第２工程と、
該第２工程により格納メモリに格納した実ディスク番に対応するディスクサブシステムの実ディスクに記憶したデータを、前記格納メモリに格納した実テープ番号の実テープへバックアップ記憶を行う第３工程とを実行することを第１の特徴とする。
【０００９】
また本発明は、前記第１の特徴のリモートバックアップシステムにおいて、前記制御手段が、前記第２工程と第３工程との間に、格納メモリに格納した実ディスク番号に対応するディスクサブシステムの実ディスクへのデータ書き込みを禁止するリザーブ処理を行う第４工程を実行することを第２の特徴とする。
【００１０】
また本発明は、前記第１又は第２の特徴のリモートバックアップシステムにおいて、前記制御手段が、前記第２工程と第３工程との間に、ホストコンピュータに対してバックアップ処理の終了を通知する第５工程を実行することを第３の特徴とする。
【００１１】
また本発明は、前記第１から第３何れかの特徴のリモートバックアップシステムにおいて、前記ディスクサブシステムが、バックアップ対象となるデータの単位を実ディスク上のセクタ番号の範囲により指定するセクタ範囲情報を記憶するメモリを有し、前記制御手段が、前記第３工程において、前記ディスクサブシステムのメモリからセクタ範囲情報を取得して格納メモリに格納することを第４の特徴とする。
【００１２】
また本発明は、前記第４の特徴のリモートバックアップシステムにおいて、前記テープライブラリ装置の制御手段が、前記格納メモリに前記セクタ範囲情報により指定された範囲のデータのバックアップが終了したことをフラグとして格納することを第５の特徴とする。
【００１３】
更に本発明は、ホストコンピュータからのデータを記憶する複数のディスク論理ユニットを有するディスクサブシステムと、該ディスク論理ユニットに記憶したデータのバックアップ記憶を行う複数のテープ論理ユニット並びにディスク論理ユニット番号に対応した実ディスクの実ディスク番号及びテープ論理ユニット番号に対応した実テープの実テープ番号とを格納する格納メモリを有するテープライブラリ装置と、前記ディスク論理ユニット番号及び該ディスク論理ユニット番号に対応した実ディスク番号並びに前記テープ論理ユニット番号及び該テープ論理ユニット番号に対応した実テープ番号とを格納した論理対実ユニット対応テーブル部を有するホストコンピュータとを備えたコンピュータシステムにおけるリモートバックアップシステムであって、
前記制御手段が、ホストコンピュータからディスク論理ユニット番号及びテープ論理ユニット番号を指定したデータバックアップの指令を受けたとき、
前記論理対実ユニット対応テーブル部からホストコンピュータから指定されたディスク論理ユニット番号に対応する実ディスク番号及びテープ論理ユニット番号に対応する実テープ番号を取得する第１工程と、
該第１工程により取得した実ディスク番号と実テープ番号との対応を前記格納メモリに格納する第２工程と、
該第２工程により格納メモリに格納した実ディスク番に対応するディスクサブシステムの実ディスクに記憶したデータを、前記格納メモリに格納した実テープ番号の実テープへバックアップ記憶を行う第３工程とを実行することを第６の特徴とする。
【００１４】
また本発明は、前記第６の特徴のリモートバックアップ方法において、前記制御手段が、前記第２工程と第３工程との間に、格納メモリに格納した実ディスク番号に対応するディスクサブシステムの実ディスクへのデータ書き込みを禁止するリザーブ処理を行う第４工程を実行することを第７の特徴とする。
【００１５】
また本発明は、前記第６又は第７の特徴のリモートバックアップ方法において、前記制御手段が、前記第２工程と第３工程との間に、ホストコンピュータに対してバックアップ処理の終了を通知する第５工程を実行することを第８の特徴とする。
【００１６】
また本発明は、前記第６から第８何れかの特徴のリモートバックアップシステムにおいて、前記ディスクサブシステムが、バックアップ対象となるデータの単位を実ディスク上のセクタ番号の範囲により指定するセクタ範囲情報を記憶するメモリを有し、前記制御手段が、前記第３工程において、前記ディスクサブシステムのメモリからセクタ範囲情報を取得して格納メモリに格納することを第９の特徴とする。
【００１７】
また本発明は、前記第９の特徴のリモートバックアップ方法において、前記テープライブラリ装置の制御手段が、前記格納メモリに前記セクタ範囲情報により指定された範囲のデータのバックアップが終了したことをフラグとして格納することを第１０の特徴とする。
【発明の効果】
【００１８】
本発明によるリモートバックアップシステム及びリモートバックアップ方法は、テープライブラリ装置にディスクサブシステムのディスク論理ユニット番号に対応した実ディスクの実ディスク番号及びテープ論理ユニット番号に対応した実テープの実テープ番号とを格納する格納メモリを設け、ホストコンピュータからディスク論理ユニット番号及びテープ論理ユニット番号を指定したデータバックアップの指令を受けたとき、ホストコンピュータから指定されたディスク論理ユニット番号に対応する実ディスク番号及びテープ論理ユニット番号に対応する実テープ番号を取得する第１工程と、該第１工程により取得した実ディスク番号と実テープ番号との対応を前記格納メモリに格納する第２工程と、該第２工程により格納メモリに格納した実ディスク番に対応するディスクサブシステムの実ディスクに記憶したデータを、前記格納メモリに格納した実テープ番号の実テープへバックアップ記憶を行う第３工程とを実行することによって、バックアップジョブを指示する専用のコンピュータを用意することなく、ディスクサブシステムからテープライブラリ装置にデータ移行することができる。
【発明を実施するための最良の形態】
【００１９】
以下、本発明の一実施形態によるリモートバックアップシステム及びリモートバックアップ方法を図面を参照して詳細に説明する。図１は本発明の一実施形態によるリモートバックアップシステムを含むコンピュータシステムを示す図、図２は本実施形態による論理対実ユニット対応テーブル内容を説明するための図、図３は本実施形態による格納メモリ内容を説明するための図、図４は本実施形態によるリモートバックアップの処理手順を示す図である。
【００２０】
［構成］
本実施形態によるリモートバックアップ方法が適用されるコンピュータシステムは、図１に示す如く、各種業務等を行うホストコンピュータ１００と、該ホストコンピュータ１００のデータを磁気ディスクを媒体として一時的に記憶するディスクサブシステム２００と、該ディスクサブシステム２００のデータを磁気テープを媒体としてバックアップするテープライブラリ装置３００とから構成される。
【００２１】
前記ホストコンピュータ１００は、各種業務を処理する業務プログラムと本実施形態によるバックアップ処理を実行するバックアップアプリケーションと前記業務プログラムが取り扱うデータを記憶する磁気ディスク装置１０３と、後述するディスクサブシステム２００からテープライブラリ装置３００へのバックアップに用いる論理ユニットと実ユニットとの対応情報を格納する論理対実ユニット対応テーブル部１０２と、これらを制御するＣＰＵ１０１と、前記ディスクサブシステム２００とＦＣ（ファイバチャネル）を介して接続するインタフェース部であるＦＣ−Ｉ／Ｆ１０４と、テープライブラリ装置３００とＬＡＮを介して接続するインタフェース部であるＬＡＮ−Ｉ／Ｆ１０５とを備える。
【００２２】
前記論理対実ユニット対応テーブル部１０２は、バックアップアプリケーションプログラムが管理するものであって、図２に示す如く、ディスクサブシステム２００における論理的な磁気ディスクの論理ユニット番号と該論理ユニット番号に対応した実ディスク番号との対応を格納したディスクサブシステムＬＵＮテーブルと、テープライブラリ装置３００における論理テープの論理ユニット番号と該論理ユニット番号に対応した実テープ番号との対応を格納したテープライブラリＬＵＮテーブルとが記憶されている。この論理対実ユニット対応テーブル部１０２は、バックアップジョブにより起動されるバックアップアプリケーションが論理ユニット番号を指定したデータのディスクサブシステム２００からテープライブラリ装置３００へのバックアップを指令する際、バックアップアプリケーションが指定したバックアップ元のディスク論理ユニットとバックアップ先のテープ論理ユニットを論理ユニット番号を基に、実ユニット番号に変換し、指定するために用意されている。
【００２３】
前記ディスクサブシステム２００は、ホストコンピュータ１００のＦＣ−Ｉ／Ｆ１０４と接続するＦＣ−Ｉ／Ｆ２０１と、該ＦＣ−Ｉ／Ｆ２０１を介してホストコンピュータ１００から受け取ったデータを記憶する複数の論理ディスク２０２と、テープライブラリ装置３００にリモート接続するためのＩ／Ｆ２０３と、図示しない制御部等とから構成される。
【００２４】
前記テープライブラリ装置３００は、ホストコンピュータ１００のＬＡＮ−Ｉ／Ｆ１０５と接続するＬＡＮＦＣ−Ｉ／Ｆ３０１と、ディスクサブシステム２００から受け取ったバックアップデータを記録するための複数の論理テープ３０２と、前記Ｉ／Ｆ２０３と接続するＩ／Ｆ３０３と、該Ｉ／Ｆ３０３を介して受け取ったディスク実ユニット番号及びテープ実ユニット番号の対応他の実ユニット指定情報を格納するための格納メモリ３０４とから構成されている。尚、本明細書においては、ディスクサブシステム２００が複数の論理ディスク２０２を有し、テープライブラリ装置３００が複数の論理テープ３０２を有していると説明するが、前記論理ディスク２０２は記録媒体である磁気ディスク上に論理的に形成され、論理テープ３０２は記録媒体である磁気テープ上に論理的に形成されるものである。即ち、本実施形態によるディスクサブシステム２００は、物理的には複数の磁気ディスク装置と制御部他から構成され、テープライブラリ装置３００は、複数の磁気テープ記録媒体（磁気テープカセット）と該磁気テープ記録媒体が選択的にロボットにより搬送されてデータの記録再生を行うテープドライブと制御部とから構成されるものとする。
【００２５】
前記格納メモリ３０４は、図３に示す如く、バックアップ元となる実ディスクのディスク実ユニット番号と、バックアップ先となる実テープのテープ実ユニット番号と、バックアップ単位の論理ボリュームの実ディスク上のセクタ番号であるＬＢＡ（Logical Block Addressing：セクタ範囲情報）の範囲を指定するＬＢＡ番号と、バックアップが未処理で待機中か又は完了したかを識別するフラグとの対応を１レコードとして格納するものであって、例えば、バックアップ元のディスク実ユニット番号が「０００」のデータを、バックアップ先であるテープ実ユニット番号「１００」の実テープにバックアップを行うこと、対象ＬＢＡが「１〜１００」セクタであること、このバックアップが完了したことを示す「完」フラグとを格納している。尚、前記ＬＢＡ番号は、システム構築時に予め論理ボリューム毎に設定され、ディスクサブシステムの制御部に予め記憶されているものである。
【００２６】
［動作］
次に前述のように構成されたコンピュータシステムのバックアップ動作を図４を主に参照して説明する。尚、「バックアップジョブ」とはホストコンピュータ１００におけるユーザが従来から使用しているバックアップを指示するためのジョブプログラムを意味し、「バックアップアプリケーション」とはホストコンピュータ内において「バックアップジョブ」により起動され、バックアップジョブを解析し、その情報をテープライブラリ装置に送信する本実施形態において追加した機能を含むものを言う。
【００２７】
さて、本実施形態によるコンピュータシステムは、ホストコンピュータ１００のＣＰＵ１０２のバックアップジョブが、バックアップアプリケーションを起動したとき、バックアップアプリケーションが入力元のディスクサブシステムと出力先テープライブラリ装置を指定するステップＳ３０と、該指定されたコマンド内容（バックアップ対象のデータ種等）を基にバックアップ元とバックアップ先の論理ユニット番号を認識するステップＳ３１と、該ステップＳ３１により認識した論理ユニット番号に対応する実ディスク及び実テープの実ユニット番号を論理対実ユニット対応テーブル部１０２を参照して取得し、該取得した実ユニット番号をＬＡＮ接続７を介してテープライブラリ装置３００に送信するステップＳ３２と、該ステップＳ３２により実ユニット番号を受信したテープライブラリ装置３００が、バックアップ元となる磁気ディスクを実ユニット番号を元にリザーブ（データ書き込みを禁止する状態を確保）すると共に前記バックアップ元とバックアップ先の実ユニット番号を格納メモリ３０４に格納するステップＳ３３と、前記ディスク実ユニットのリザーブが正常にできたときにバックアップアプリケーションに正常終了の報告を行うステップＳ３４と、バックアップアプリケーションが前記応答を認識してバックアップジョブに応答するステップＳ３５とを実行する。これら一連のステップによって本実施形態によるコンピュータシステムは、テープライブラリ装置３００側でバックアップを行う実ユニット（実ディスク）のリザーブが完了した時点でバックアップアプリケーションに終了を報告するため、ホストコンピュータ１００に対してはバックアップが完了したと報告され、ホストコンピュータ１００は他の業務処理プログラム他を実行することができる。
【００２８】
次いで本システムは、バックアップアプリケーションが、バックアップ処理実行を開始するステップＳ３６と、この開始によってバックアップ対象となる磁気ディスクの実ディスクの記録範囲である対象ＬＢＡをディスクサブシステム２００の制御部をアクセスして取得し、この取得した情報をテープライブラリ装置３００に送信するステップＳ３７と、テープライブラリ装置３００が、前述の受信情報からバックアップ対象の範囲（対象ＬＢＡ）を格納メモリ３０４に格納するステップＳ３８と、バックアップジョブが終了したか否かを判定し、終了していないと判定したときに前記ステップＳ３７に戻るステップＳ４２と、該ステップＳ４２において終了したと判定したとき、バックアップアプリケーションが実ユニット指定情取得終了を認識し、テープライブラリ装置に報告するステップＳ３９と、この報告を受けたテープライブラリ装置３００が、格納メモリ３０４に格納した全ての実ユニット指定情報により指定された実ディスクから実テープへのデータバックアップをリモート接続８を介して実行するステップＳ４０と、全てのデータバックアップが終了したか判定し、終了したと判定したときに処理を終了するステップＳ４１とを実行する。尚、前記ステップＳ４０においては、バックアップを取得した対象範囲は格納メモリ３０４上に残すものとし、該格納メモリ３０４の取得フラグには、対象ＬＢＡのバックアップが待機中のフラグ又はバックアップが完了したことを示すフラグが格納され、テープライブラリ装置の制御部が前記取得フラグを参照しながら上位から指定された全てのデータバックアップを行う様に動作する。
【００２９】
上述のステップによって本実施形態によるコンピュータシステムは、ホストコンピュータ１００のバックアップアプリケーションが、論理対実ユニット対応テーブル部１０２のバックアップ元となる磁気ディスクの実ＬＵＮと、バックアップ先となる磁気テープの実ＬＵＮと、該両実ＬＵＮにおける対象ＬＢＡとを含む実ユニット指定情報を格納メモリ３０４に格納し、この実ユニット指定情報に基づいてテープライブラリ装置３００が、ディスクサブシステム２００の対象となる実ディスクから実テープ並びにＬＢＡを指定してバックアップを実行することによって、バックアップを指示する専用のコンピュータを用意することなく、且つ従来のバックアップジョブを使用してディスクサブシステムからテープライブラリ装置にデータをバックアップすることができる。
【図面の簡単な説明】
【００３０】
【図１】本発明の一実施形態によるリモートバックアップシステムを含むコンピュータシステムを示す図。
【図２】本実施形態による論理対実ユニット対応テーブル内容を説明するための図。
【図３】本実施形態による格納メモリ内容を説明するための図。
【図４】本実施形態によるリモートバックアップの処理手順を示す図。
【符号の説明】
【００３１】
１００：ホストコンピュータ、１０２：論理対実ユニット対応テーブル部、１０３：磁気ディスク装置、２００：ディスクサブシステム、２０２：論理ディスク、３００：テープライブラリ装置、３０２：論理テープ、３０４：格納メモリ。
【図１】
2010122906.tif 000003
【図２】
2010122906.tif 000004
【図３】
2010122906.tif 000005
【図４】
2010122906.tif 000006